(57)【要約】【課題】対象の皮膚情報を短時間で容易に検査できる検査キットを提供する。【解決手段】対象の皮膚情報を検査するための検査キット１であって、皮膚情報が採取されたシートＳが配置される配置部２と、配置部２に配置されたシートＳに染色液を供給する染色液供給部３と、染色液供給部３に貯留されている染色液全量を吸収できる容量を有し、配置部２に配置されたシートＳが染色されるのに必要な時間を確保できる速度で染色液を吸収する吸収パッド４と、を備えている。【選択図】図２
2020030178.tif 000002
【特許請求の範囲】
【請求項１】
対象の皮膚情報を検査するための検査キットであって、
皮膚情報が採取されたシートが配置される配置部と、
前記配置部に配置された前記シートに染色液を供給する染色液供給部と、
前記染色液供給部に貯留されている染色液全量を吸収できる容量を有し、前記配置部に配置された前記シートが染色されるのに必要な時間を確保できる速度で染色液を吸収する吸収パッドと、を備えている、検査キット。
【請求項２】
前記吸収パッドは、パッド本体部と、前記パッド本体部と前記配置部に配置された前記シートとを接続する接続部を備えており、
前記接続部は、前記パッド本体部より小さく形成されている、請求項１記載の検査キット。
【請求項３】
前記接続部は、前記配置部に配置された前記シートの皮膚情報が付着した付着部の全周の一部を覆うよう構成されている、請求項２記載の検査キット。
【請求項４】
前記吸収パッドの前記パッド本体部は、セルロース膜でできており、
前記吸収パッドの前記接続部は、ろ紙でできている、請求項２又は３に記載の検査キット。
【請求項５】
前記検査キットは、キット本体部と前記キット本体部の上部を覆う蓋部と、を備えており、
前記染色液供給部は、前記蓋部に形成された開口部を含んで構成されており、
前記検査キットは、前記キット本体部が前記蓋部によって閉止されている状態において、前記染色液供給部と前記キット本体部との間をシールするシール部材を備えている、請求項１〜４のいずれか１つに記載の検査キット。
【発明の詳細な説明】
【技術分野】
【０００１】
本発明は、対象の皮膚情報を検査するための検査キットに関する。
【背景技術】
【０００２】
皮膚は、体の最外層に位置する器官であり、体外から体内への刺激や異物の侵入を阻む機能と、体内からの体外への生体物質の漏出を防止する機能とがある。
【０００３】
このような皮膚のバリア機能が損なわれると、外部からの刺激や異物の侵入を受けやすくなり、アレルギーなどの免疫疾患、及び皮膚炎などの皮膚疾患の原因となる。したがって、皮膚の状態を的確に把握することは、これらの疾患を予防するうえで重要である。
【０００４】
ここで、特許文献１には、皮膚バリア機能を担う皮膚表面（例えば角層）の下方に存在する間質液中のアルブミンを経皮的に採取し、その量を測定することによって、皮膚バリア機能を評価する方法が開示されている。
【０００５】
また、前記間質液中の生体物質（例えば、疾患の指標となる疾患マーカー）が経皮的に採取され得ることが知られている（非特許文献１）。
【先行技術文献】
【特許文献】
【０００６】
【特許文献１】特開２０１８−０４８９８４号公報
【非特許文献】
【０００７】
【非特許文献１】Minematsu et al., ADVANCES IN SKIN & WOUND CARE 2014; 27: 272-9
【発明の概要】
【発明が解決しようとする課題】
【０００８】
ここで、特許文献１に開示された方法では、タンパク質吸着性のシートを対象の皮膚表面に貼付けることで皮膚表面下方の間質液中のアルブミンを採取するため、非侵襲的な経皮測定方法である。そして、本方法は、アルブミン以外の前記間質液中の生体物質（例えば、疾患の指標となる疾患マーカー）も非侵襲的に且つ経皮的に測定可能であるため、疾患の診断補助方法としても有用と考えられる。
【０００９】
また、特許文献１に開示された方法では、アルブミンの採取は、タンパク質吸着性のシートを対象の皮膚表面に貼付けてから約１〜２０分で終わるため、迅速に行われる。
【００１０】
しかし、特許文献１によれば、シートに採取されたアルブミンの測定は、数時間を要するウェスタンブロット法などの免疫学的測定法により行われるため、全体として迅速な方法とは言いがたいものであった。また、一般的な免疫学的測定法では、種々の溶液（例えば、ブロッキング液、抗体溶液、染色液）を用いる必要があり、使用後の溶液を廃棄する手間もかかった。
【００１１】
そこで本発明では、対象の皮膚情報を短時間で容易に検査できる検査キットを提供することを目的とする。
【課題を解決するための手段】
【００１２】
本発明の一態様は、対象の皮膚情報を検査するための検査キットであって、
皮膚情報が採取されたシートが配置される配置部と、
前記配置部に配置された前記シートに染色液を供給する染色液供給部と、
前記染色液供給部に貯留されている染色液全量を吸収できる容量を有し、前記配置部に配置された前記シートが染色されるのに必要な時間を確保できる速度で染色液を吸収する吸収パッドと、を備えている。
【００１３】
前記構成によれば、染色液供給部からシートに染色液を供給し、吸収パッドはシートが染色されるのに必要な時間を確保できる速度で染色液を吸収するので、その場でシートを検査することができ、検査結果を早期に得ることができる。また、染色液全量が吸収パッドに吸収されるので、染色液を廃液処理する必要がない。その結果、対象の皮膚情報を短時間で容易に検査できる検査キットを提供できる。
【００１４】
前記態様は、さらに、次のような構成を備えるのが好ましい。
【００１５】
（１）前記吸収パッドは、パッド本体部と、前記パッド本体部と前記配置部に配置された前記シートとを接続する接続部を備えており、
前記接続部は、前記パッド本体部より小さく形成されている。
【００１６】
（２）前記構成（１）において、前記接続部は、前記配置部に配置された前記シートの皮膚情報が付着した付着部の全周の一部を覆うよう構成されている。
【００１７】
（３）前記構成（１）又は（２）において、前記吸収パッドの前記パッド本体部は、セルロース膜でできており、
前記吸収パッドの前記接続部は、ろ紙でできている。
【００１８】
（４）前記検査キットは、キット本体部と前記キット本体部の上部を覆う蓋部と、を備えており、
前記染色液供給部は、前記蓋部に形成された開口部を含んで構成されており、
前記検査キットは、前記キット本体部が前記蓋部によって閉止されている状態において、前記染色液供給部と前記キット本体部との間をシールするシール部材を備えている。
【００１９】
前記構成（１）によれば、接続部がパッド本体部より小さく形成されているので、接続部において、染色液を吸収する吸収速度を調整することができる。
【００２０】
前記構成（２）によれば、接続部がシートの付着部の全周の一部を覆うことによって、付着部の全周を覆う場合と比べて、染色液を吸収パッドで吸収する時間を長くすることができる。吸収時間を長くすることによって、シートが染色液で反応する時間を十分確保できる。
【００２１】
前記構成（３）によれば、パッド本体部と接続部とを異なる部材とすることによって、吸収パッドの染色液の吸収速度と吸収性とを両立することが容易となる。
【００２２】
前記構成（４）によれば、シール部材によって、染色液供給部からの染色液の漏れを抑制できる。
【発明の効果】
【００２３】
本発明によると、対象の皮膚情報を短時間で容易に検査できる検査キットを提供できる。
【図面の簡単な説明】
【００２４】
【図１】本発明の実施形態に係る対象の皮膚情報を検査するための検査キットの概略斜視図である。
【図２】蓋部を取り外した状態の検査キットの概略斜視図である。
【図３】蓋部の裏面から見た概略斜視図である。
【図４】キット本体部の裏面から見た概略斜視図である。
【図５】シートを取り付ける前の検査キットの一部側面図である。
【図６】シートを取り付けた状態の検査キットの一部側面図である。
【発明を実施するための形態】
【００２５】
以下、図面に基づいて、本発明の実施形態に係る対象の皮膚情報を検査するための検査キットにつき、詳細に説明する。
【００２６】
ここで、「対象」は、表皮の有棘層、基底層等の間質液中に、後述する疾患マーカーを含む動物である限り特に限定されない。対象動物としては、例えば、ヒト又はその他の哺乳類（例えば、マウス、ラット、イヌ、ネコ、ウシ、ウマ、ブタ等）、ニワトリ、インコ等の鳥類等が挙げられる。
【００２７】
「皮膚」は、表皮の有棘層、基底層等の間質液が存在する限り特に限定されない。皮膚としては、例えば、足、脚、頭、手、腕、顔、その他の体部等の皮膚が挙げられる。
【００２８】
［検査キット］
図１は、本発明の実施形態に係る対象の皮膚情報を検査するための検査キットの概略斜視図である。図１に示されるように、検査キット１は、上面視で矩形状を有しており、構造体として、キット本体部１１と、キット本体部１１の上部を覆う蓋部１２と、を備えている。蓋部１２は、キット本体部１１に取り付けられ、キット本体部１１の上部を開放、閉止可能としている。なお、本実施形態では、検査キット１は、上面視で矩形状を有しているが、検査キット１の形状は特に限定されない。
【００２９】
図２は、蓋部１２を取り外した状態の検査キット１の概略斜視図であり、図３は、蓋部１２の裏面から見た概略斜視図であり、図４は、キット本体部１１の裏面から見た概略斜視図である。図１〜図４に示されるように、検査キット１は、皮膚情報が採取されたシートＳが配置される配置部２と、配置部２に配置されたシートＳに染色液を供給する染色液供給部３と、染色液供給部３に貯留されている染色液全量を吸収できる容量を有し、配置部２に配置されたシートＳが染色されるのに必要な時間を確保できる速度で染色液を吸収する吸収パッド４と、を備えている。
【００３０】
配置部２は、キット本体部１１に形成された上下方向に貫通する開口部１１ａを含んで構成される。シートＳは、皮膚情報が採取され付着する付着部Ｓ１と、付着部Ｓ１がその中心に取り付けられるテープ部Ｓ２と、を有している。
【００３１】
図５は、シートＳを取り付ける前の検査キット１の一部側面図であり、図６は、シートＳを取り付けた状態の検査キット１の一部側面図である。図５及び図６に示されるように、シートＳは、キット本体部１１の裏面から開口部１１ａの縁に貼り付けられる。その結果、シートＳによって、開口部１１ａが閉止され、シートＳの付着部Ｓ１は、開口部１１ａ内に位置する。
【００３２】
シートＳは、配置部２に配置される前に、対象の皮膚表面に貼付され、皮膚情報が採取される。シートＳには、皮膚情報として、皮膚表面の下方に位置する層（例えば、表皮の有棘層、基底層等）に存在する間質液中の疾患マーカーが付着しており、検査キット１は、その疾患マーカーを検査するものである。なお、疾患マーカーに加え、疾患マーカーを補正する参照マーカーを含んでもよい。
【００３３】
シートＳは、疾患マーカーとの間で静電相互作用に基づく引力を生じ得る限り特に限定されない。シートＳとしては、例えば、極性官能基を表面に有するシート等が挙げられる。極性官能基は、極性を有する官能基であり、非イオン性官能基であってもよく、イオン性官能基であってもよい。シートＳの形状、サイズ等も特に限定されない。
【００３４】
極性官能基を表面に有するシートとしては、ニトロセルロース膜を使用することが好ましい。ニトロセルロース膜によれば、ニトロ基が有する正電荷と疾患マーカーが有する負電荷との間の静電相互作用に基づく引力、及び、ニトロ基が有する負電荷と疾患マーカーが有する正電荷との間の静電相互作用に基づく引力が生じ得る。
【００３５】
染色液供給部３は、検査キット１の外部より染色液が供給されるようになっており、蓋部１２に形成された開口部１２ａを含んで構成される。開口部１２ａは、蓋部１２をキット本体部１１に取り付けた状態において、下方に凹み、下方に向かって水平断面積が小さくなる、四角錐台形状を有している。したがって、染色液供給部３に染色液が供給されると、染色液は開口部１２ａを満たし、シートＳの表面が染色液に浸されることになる。
【００３６】
染色液供給部３は、検査時に、シートＳを染色させるのに必要な時間（通常１〜２分程度であり、最長でも５分程度）、染色液を溜めておくことのできる程度の容積を有している。なお、開口部１２ａは、シートＳが染色液によって染色された状態を観察可能とする観察窓の役割も果たす。
【００３７】
染色液供給部３には、通常、２種類以上の染色液が供給される。染色液によって染色される皮膚情報である疾患マーカーは、例えば、サイトカイン、酵素、細胞外基質タンパク質、血漿タンパク質、熱ショックタンパク質及び受容体タンパク質からなる群より選択されるタンパク質、又は、オスモライトである。また、当該疾患マーカーは、ＴＮＦα、ＩＬ１α、ＮＧＦβ、ＶＥＧＦ−Ｃ、ＴＧＦβ１、ＢＭＰ１、ＰＡＩ１、ＭＭＰ２、クレアチンキナーゼ、クレアチンホスホキナーゼ、ＣＯＬ４、フィブロネクチン、アルブミン、ＨＳＰ９０α及びＮＯＴＣＨ１からなる群より選択されるタンパク質、又は、タウリンである。
【００３８】
「疾患」は、疾患マーカーを指標として判断され得る症状又は異常である限り特に限定されない。症状又は異常としては、例えば、炎症、掻痒症、皮膚裂傷、皮膚バリア機能の低下、虚血性疾患、低酸素状態、細胞変形、褥瘡、筋損傷、毛周期異常、脱水症等が挙げられる。また、症状又は異常は局所性のものであっても全身性のものであってもよく、又は、症状又は異常がある部位も特に限定されない。症状又は異常がある部位としては、例えば、皮膚、皮下組織等が挙げられる。
【００３９】
上記疾患のうち、炎症、掻痒症、虚血性疾患、低酸素状態等は、例えばサイトカイン等を指標として判断され得る。また、皮膚裂傷は、例えばサイトカイン、酵素、細胞外基質タンパク質等を指標として判断され得る。また、皮膚バリア機能の低下は、例えば血漿タンパク質等を指標として判断され得る。また、細胞変形は、例えば熱ショックタンパク質等を指標として判断され得る。また、褥瘡は、例えばサイトカイン、熱ショックタンパク質、酵素等を指標として判断され得る。また、筋損傷は、例えば酵素等を指標として判断され得る。また、毛周期異常は、例えば受容体タンパク質、サイトカイン等を指標として評価され得る。また、脱水症は、例えばオスモライト等を指標として評価され得る。
【００４０】
吸収パッド４は、パッド本体部４１と、パッド本体部４１と配置部２に配置されたシートＳとを接続する接続部４２を備えている。
【００４１】
吸収パッド４のパッド本体部４１は、配置部２に配置されたシートＳの両側に一対として設けられ、キット本体部１１の内部に形成された凹部１１ｂに配置されている。パッド本体部４１は、シートＳを介して、染色液供給部３に貯留されている染色液を、毛細管現象を利用して吸収するようになっている。
【００４２】
パッド本体部４１は、キット本体部１１の凹部１１ｂ側面に形成され、凹部１１ｂの側方内方に突出する位置決め部材１１ｃによって、位置決めされる。パッド本体部４１は、上面視で矩形状を有しており、例えば、セルロース膜でできている。パッド本体部４１は、図２等に示されるように、複数の薄いパッドが積層されて構成されてもよく、また、１つの厚いパッドによって構成されてもよい。パッド本体部４１は、染色液供給部３に貯留されている染色液全量を吸収できる容量を有している。例えば、パッド本体部４１は、少なくとも、染色液供給部３の容積より大きい容積を有している。
【００４３】
本実施形態では、パッド本体部４１は、シートＳの付着部Ｓ１の両側に一対として設けられ、上面視で矩形状を有しているが、パッド本体部４１の数、形状は特に限定されない。上述したように、パッド本体部４１は、染色液供給部３に貯留されている染色液全量を吸収できる容量を有していればよい。なお、本実施形態では、パッド本体部４１は、上面視で矩形状の検査キット１の短辺方向（Ｙ方向）長さが、シートＳの付着部Ｓ１のＹ方向長さと略同じとなっている。また、それぞれのパッド本体部４１は、上面視で矩形状の検査キット１の長辺方向（Ｘ方向）長さが、シートＳの付着部Ｓ１のＸ方向長さの２倍程度となっている。
【００４４】
吸収パッド４の接続部４２は、パッド本体部４１より小さく形成されており、シートＳの付着部Ｓ１の外周の一部を覆っている。接続部４２は、シートＳの付着部Ｓ１の両側に一対として設けられたパッド本体部４１に対応して、シートＳの両側に一対として設けられ、それぞれ、上面視でＴ字形状を有している。
【００４５】
接続部４２は、シートＳを染色液で染色させるのに必要な時間を確保できる速度で、シートＳを介して染色液供給部３に貯留された染色液をパッド本体部４１吸収できるような形状、寸法となっている。
【００４６】
接続部４２は、Ｙ方向に延びる第１部４２ａと、Ｘ方向に延びる第２部４２ｂと、を有している。本実施形態のように、シートＳの付着部Ｓ１が上面視で矩形状を有する場合、接続部４２は、シートＳの付着部Ｓ１の対向する二辺を第１部４２ａで覆い、他の二辺を覆わないようになっている。第１部４２ａは、Ｙ方向に延びる細長い形状を有しており、接続部４２がシートＳの対向する二辺を確実に覆うよう、第１部４２ａのＹ方向長さは、付着部Ｓ１の対向する二辺それぞれのＹ方向長さより若干長くなっている。なお、例えば、付着部Ｓ１が上面視で円形状や楕円形状を有する場合、接続部４２は、付着部Ｓ１の全周の一部を覆うようになっている。
【００４７】
接続部４２の第２部４２ｂは、Ｘ方向に延びる細長い形状を有しており、第２部４２ｂのＹ方向長さは、第１部４２ａのＸ方向長さより短くなっている。第２部４２ｂは、上面視で、パッド本体部４１と一部が重なるように設けられている。第２部４２ｂのパッド本体部４１側の先端部は、パッド本体部４１のＸ方向中心よりシートＳ側に位置している。
【００４８】
接続部４２とシートＳの付着部Ｓ１との接触面積（第１部４２ａの形状、寸法）及び接続部４２の容積（特に、第２部４２ｂの形状、寸法）を調整することによって、接続部４２が染色液供給部３から染色液を吸収する速度を調整できる。具体的には、第１部４２ａと付着部Ｓ１との接触面積を大きくすると、染色液の吸収速度は増加する。また、第２部４２ｂとパッド本体部４１との接触面積を大きくすると、染色液の吸収速度は増加し、第２部４２ｂのＹ方向長さを短くすると、染色液の吸収速度は減少する。
【００４９】
接続部４２は、パッド本体部４１とは異なる部材でできており、例えば、ろ紙（綿繊維、セルロース）でできている。
【００５０】
蓋部１２に形成された開口部１２ａの縁内面には、シール部材５が配置されている。シール部材５は、キット本体部１１が蓋部１２によって閉止されている状態において、染色液供給部３とキット本体部１１との間をシールするようになっている。シール部材５は、防水機能を有するパッキンでできていることが好ましい。
【００５１】
検査キット１は、次のように使用される。
【００５２】
［検査キットの使用方法］
シートＳを対象の皮膚表面に貼付すると、シートＳと皮膚表面の下方に位置する層（例えば、表皮の有棘層、基底層等）に存在する間質液中の疾患マーカーとの間に静電相互作用に基づく引力が生じ、対象の間質液中の疾患マーカーが対象の表皮を通過してシートＳに引きつけられ、シートＳの付着部Ｓ１表面に付着する。すなわち、対象の間質液中の疾患マーカーが非侵襲的に採取される。なお、シートＳと、シートＳ表面に付着した疾患マーカーとの結合には、静電相互作用以外に、疎水性相互作用等が関与してもよい。
【００５３】
シートＳを皮膚表面から剥離すると、シートＳ表面に付着した疾患マーカーは、シートＳとともに皮膚表面から剥離される。シートＳを皮膚表面に接触させる時間は、対象の間質液中の疾患マーカーがシートＳ表面に付着し得る限り特に限定されない。接触時間は、シートＳと対象の間質液中の疾患マーカーとの間で生じる静電相互作用に基づく引力の大きさ等に応じて適宜調整されることができるが、通常１分以上、好ましくは５分以上、さらに好ましくは１０分以上である。なお、接触時間の上限は特に限定されないが、通常２０分、好ましくは１５分である。
【００５４】
次に、皮膚表面から剥離したシートＳを、疾患マーカーが付着した面を上面として、キット本体部１１の裏面から開口部１１ａの縁に貼り付ける。その結果、シートＳによって、開口部１１ａが閉止され、シートＳの付着部Ｓ１の付着面は、開口部１１ａ内に位置する。
【００５５】
そして、染色液供給部３に染色液を供給する。染色液は、通常、２種類以上が開口部１２ａを満たすよう供給され、シートＳの付着部Ｓ１の付着面は染色液に浸される。
【００５６】
シートＳを染色した染色液は、シートＳを介して、吸収パッド４に吸収される。吸収パッド４は、接続部４２によって、シートＳからパッド本体部４１に吸収する染色液の吸収速度を調整する。具体的には、接続部４２は、シートＳを染色するのに十分な時間染色液が染色液供給部３に存在する程度の吸収速度で、染色液をシートＳからパッド本体部４１へ吸収させる。染色液がシートＳを染色するのに十分な時間とは、通常１〜２分程度であり、最大でも５〜１０分程度である。
【００５７】
染色液によるシートＳの染色が完了すると、シートＳの染色状態を開口部１２ａから観察することによって、対象の疾患に関する情報を確認できる。疾患に関する情報とは、対象が疾患に罹患しているか否かの情報、罹患の疑いがあるか否かの情報等である。
【００５８】
染色液によるシートＳの染色が完了した後、染色液供給部３に存在した染色液は、すべて吸収パッド４のパッド本体部４１によって吸収される。このため、染色液供給部３に染色液は残留せず、残留した染色液の廃液処理を行う必要はない。
【００５９】
染色液によるシートＳの染色が完了し、対象の疾患に関する情報を確認した後、当該検査キット１は廃棄処分される。検査キット１は、通常、使い捨てで使用される。
【００６０】
前記構成の検査キット１によれば、次のような効果を発揮できる。
【００６１】
（１）検査キット１は、染色液供給部３からシートＳに染色液を供給し、吸収パッド４はシートＳが染色されるのに必要な時間を確保できる速度で染色液を吸収するので、その場でシートＳを検査することができ、検査結果を早期に得ることができる。
【００６２】
（２）吸収パッド４は、染色液供給部３に貯留されている染色液全量を吸収できる容量を有するので、染色液全量が吸収パッド４に吸収され、染色液を廃液処理する必要がない。
【００６３】
（３）検査キット１は、シートＳをその場で検査することができるので、皮膚情報をシートＳに採取した後、早期に検査することができる。このため、シートＳに不純物が加入するおそれを低減することができ、また、対象の皮膚情報が採取されたシートＳを別の対象の皮膚情報が採取されたシートと取り違えるおそれを低減できる。
【００６４】
（４）吸収パッド４は、パッド本体部４１と、パッド本体部４１と配置部２に配置されたシートＳとを接続する接続部４２と、を備えており、接続部４２は、パッド本体部４１より小さく形成されているので、接続部４２において、染色液を吸収する吸収速度を調整することができる。すなわち、吸収パッド４が接続部４２を有することで、シートＳが染色されるのに必要な時間を確保できる速度で染色液を吸収することを容易に達成できる。
【００６５】
（５）接続部４２は、シートＳの付着部Ｓ１の全周の一部を覆うことによって、付着部Ｓ１の全周を覆う場合と比べて、染色液を吸収パッド４で吸収する時間を長くすることができる。吸収時間を長くすることによって、シートＳが染色液で反応する時間を十分確保できる。
【００６６】
（６）吸収パッド４のパッド本体部４１は、セルロース膜でできており、接続部４２は、ろ紙でできている。パッド本体部４１と接続部４２とを異なる部材とすることによって、吸収パッド４の染色液の吸収速度と吸収性とを両立することが容易となる。
【００６７】
（７）キット本体部１１が蓋部１２によって閉止されている状態において、染色液供給部３とキット本体部１１との間をシールするシール部材５を備えているので、シール部材５によって、染色液供給部３からの染色液の漏れを抑制できる。
【００６８】
（８）染色液供給部３は、開口部１２ａが下方に凹み、下方に向かって水平断面積が小さくなる、四角錐台形状を有して構成されるので、染色液を染色液供給部３に供給する際、染色液が染色液供給部３から溢れにくい。
【００６９】
（９）吸収パッド４のパッド本体部４１は、キット本体部１１の凹部１１ｂ側面に形成され、凹部１１ｂの側方内方に突出する位置決め部材１１ｃによって、位置決めされるので、パッド本体部４１の位置がずれることを防止できる。
【００７０】
（１０）吸収パッド４の接続部４２は、上面視で、パッド本体部４１と一部が重なっているので、染色液が接続部４２からパッド本体部４１へ円滑に流れることができる。
【００７１】
［変形例］
上記実施形態では、吸収パッド４のパッド本体部４１は、キット本体部１１の凹部１１ｂに配置されているが、染色液供給部３に貯留されている染色液を吸収できるのであれば、蓋部１２の内部に形成された凹部に配置されてもよい。
【００７２】
上記実施形態では、接続部４２が染色液供給部３からの染色液を吸収する吸収速度を調整しているが、接続部４２を設けず、パッド本体部４１の構造、寸法、形状等によって上記吸収速度を調整してもよい。例えば、パッド本体部４１の密度をシートＳの付着部Ｓ１からの距離に応じて変化させることによって、パッド本体部４１の染色液の吸収速度を調整することができる。
【００７３】
上記実施形態では、検査キット１は上面視で長方形の形状を有しているが、それに限定されるものではなく、例えば、楕円形状や円形状を有してもよい。その場合、吸収パッド４のパッド本体部４１は、シートＳの付着部Ｓ１の外周に、付着部Ｓ１を囲むように配置されることが考えられる。
【００７４】
特許請求の範囲に記載された本発明の精神及び範囲から逸脱することなく、各種変形及び変更を行うことも可能である。
【産業上の利用可能性】
【００７５】
本発明では、対象の皮膚情報を短時間で容易に検査できる検査キットを提供できるので、産業上の利用価値が大である。
【符号の説明】
【００７６】
１  検査キット  
２  配置部  
３  染色液供給部  
４  吸収パッド  
５  シール部材  
１１  キット本体部  
１２  蓋部  
４１  パッド本体部  
４２  接続部  
Ｓ  シート  
【図１】
2020030178.tif 000003
【図２】
2020030178.tif 000004
【図３】
2020030178.tif 000005
【図４】
2020030178.tif 000006
【図５】
2020030178.tif 000007
【図６】
2020030178.tif 000008